(57)【特許請求の範囲】
【請求項１】
表示パネルの背部に配置されるリアキャビネットをその内面に重なり状に配備される縦長フレームとその外面側に配備される板状の壁掛け金具との間に挟み込んだ状態で、上記壁掛け金具と上記リアキャビネットとのそれぞれの複数箇所に開設されているねじ挿通孔に挿通させた取付ねじを上記縦長フレームのねじ孔にねじ込むことにより、上記壁掛け金具が上記リアキャビネットに固着されるようになっていて、
上記縦長フレームに、上記リアキャビネットのほゞ全高に見合う長さを有して上記表示パネルに固着されたシャーシブラケットとそのシャーシブラケットよりも短い補強フレームとが含まれ、かつ、それらのシャーシブラケット及び補強フレームのうちの一方が選択使用される壁掛け型表示装置であって、
上記リアキャビネットに、その内面に重なり状に配備された上記補強フレームに開設されているビス挿入孔に挿入された固定ビスがねじ込まれる１つのねじ込み孔を有するボスと、その内面に重なり状に配備された上記補強フレームに係合することにより上記ねじ込み孔にねじ込まれた上記固定ビスと共働してその補強フレームをリアキャビネットの内面に固定するためのフックとが突設され、
上記リアキャビネットに突設されたボス及びフックは、上記シャーシブラケットが選択使用される場合に、上記シャーシブラケットが取り付けられない位置または上記シャーシブラケットに開設された開口位置に配備されていることを特徴とする壁掛け型表示装置。
【請求項２】
上記フックが、上記補強フレームに設けられた横向き張出し片に係合する第１フック片と、上記補強フレームに開設された開口の口縁部に係合する第２フック片とに分かれていて、
上記補強フレームを上記リアキャビネットの内面に重ね合わせて第１フック片に上記横向き張出し片を係合させることと第２フック片を上記開口に挿入することとを行った後にその補強フレームをスライドさせて第２フック片を上記開口の口縁部に係合させる操作を通じて、上記ボスのねじ込み孔に上記補強フレームのビス挿入孔が位置合わせされるように構成されている請求項１に記載した壁掛け型表示装置。
【請求項３】
上記シャーシブラケットが、上記リアキャビネットの内面に重ね合わされた当該シャーシブラケットの側部に上記第１フック片を位置させる幅狭部と、上記当該シャーシブラケットが上記リアキャビネットの内面に重ね合わされたときに上記第２フック片を遊嵌合させる開口部と、上記ボスを遊嵌合させる開口部と、でなる逃がし構造を有している請求項２に記載した壁掛け型表示装置。
【請求項４】
上記リアキャビネットの内面の幅方向の２箇所に、上記縦長フレームとしての補強フレーム及びシャーシブラケットが選択的に取り付けられるフレーム取付区画が形成されている請求項２又は請求項３に記載した壁掛け型表示装置。
【発明の詳細な説明】
【技術分野】
【０００１】
本発明は、リアキャビネットの外面（背面）に板状の壁掛け金具が装備される壁掛け型表示装置に関する。特に、樹脂成形体でなるリアキャビネットの変形を防ぐために使用される補強部材としての縦長フレームに、液晶ディスプレイなどの表示パネルに固着されて骨格構造を形成しているシャーシブラケットが用いられる場合であっても、液晶ディスプレイなどの表示パネルに固着されない補強フレームが用いられる場合であっても、それらのシャーシブラケットや補強フレームを不都合なく選択使用することを可能にするための対策を講じた上記壁掛け型表示装置に関する。
【背景技術】
【０００２】
図１４及び図１５は本発明の前提としての壁掛け型表示装置におけるリアキャビネットの補強構造を例示した縦断面図であり、図１４には上記したシャーシブラケットを用いたもの、図１５には上記した補強フレームを用いたものをそれぞれ示してある。また、図１６には壁掛け金具を正面図で示してある。
【０００３】
図１４及び図１５に示した壁掛け型表示装置には、たとえば液晶ディスプレイやプラズマディスプレイなどを採用した壁掛け型のテレビジョン受像機やその他の壁掛け型表示装置が含まれる。これらの壁掛け型表示装置において、一般的なキャビネット１０は、フロントキャビネット１１とリアキャビネット１５とを合わせて結合することによって前面が開放された偏平箱形に形成されていて、リアキャビネット１５の外面（背面）に板状の壁掛け金具２０が装備される。図１６のように、壁掛け金具２０はその４隅にねじ挿通孔２１を有している。このような壁掛け金具２０は、たとえば家屋の壁面などに装備されている掛け具（不図示）に壁掛け型表示装置を引掛けて保持させることに利用されるのであって、壁掛け型表示装置のコストダウンを図るためには壁掛け金具に規格品（既製品）を使用することが有利である。
【０００４】
ところで、図１４に示したシャーシブラケット３０は、リアキャビネット１５によって背部が覆われている液晶ディスプレイやプラズマディスプレイなどの表示パネル１００にビス止め構造１１０などの適宜手段で固着されていて、それ自体が表示パネル１００の骨格構造としての役割を果たしている。これに対し、図１５に示した補強フレーム４０は表示パネル１００に固着されていない。そして、これらのシャーシブラケット３０や補強フレーム４０は、冒頭で説明したようにリアキャビネット１５の変形を防止する補強部材として機能する縦長フレームＦに相当している。
【０００５】
一方、規格品である壁掛け金具２０をリアキャビネット１５に装備させる構造には、壁掛け型表示装置が、図１４に示したシャーシブラケット３０を採用しているか、図１５に示した補強フレーム４０を採用しているか、ということにかかわらず同一の構造が採用されている。
【０００６】
すなわち、リヤキャビネット１５を補強するための縦長フレームＦとして図１４のシャーシブラケット３０を採用している壁掛け型表示装置では、壁掛け金具２０をリアキャビネット１５に固着するための対策として、リアキャビネット１５をその内面に重ね合わされたシャーシブラケット３０とその外面側に配備された壁掛け金具２０との間に挟み込んだ状態で、壁掛け金具２０とリアキャビネット１５とのそれぞれの複数箇所に開設されているねじ挿通孔（不図示）に取付ねじ２００を挿通させ、それらの取付ねじ２００をシャーシブラケット３０のねじ孔（不図示）にねじ込んで締め付けてある。これと同様に、リアキャビネット１５を補強するための縦長フレームＦとして図１５の補強フレーム４０を採用している壁掛け型表示装置でも、壁掛け金具２０をリアキャビネット１５に固着するための対策として、リアキャビネット１５をその内面に重ね合わされた補強フレーム４０とその外面側に配備された壁掛け金具２０との間に挟み込んだ状態で、壁掛け金具２０とリアキャビネット１５とのそれぞれの複数箇所に開設されているねじ挿通孔（不図示）に取付ねじ２００を挿通させ、それらの取付ねじ２００を補強フレーム４０のねじ孔（不図示）にねじ込んで締め付けてある。
【０００７】
これに対し、図１４の壁掛け型表示装置と図１５の壁掛け型表示装置とでは、壁掛け金具２０をリヤキャビネット１５に固着するときの作業工程が相違する。すなわち、図１４の壁掛け型表示装置では、シャーシブラケット３０が表示パネル１００にあらかじめ先工程で固着されているので、表示パネル１００をフロントキャビネット１１に装着しておけば、そのフロントキャビネット１１にリヤキャビネット１５を合わせるだけで、リアキャビネット１５の内面の所定位置にシャーシブラケット３０が重なり合う。そのため、取付ねじ２００によって壁掛け金具２０をリヤキャビネット１５に固着する工程を比較的容易に行うことができる。これに対し、図１５の壁掛け型表示装置では、補強フレーム４０が表示パネル１００に固着されていないので、壁掛け金具２０をリヤキャビネット１５に固着するときの作業工程では、リヤキャビネット１５の内面の所定位置に重ね合わせた補強フレーム４０をリヤキャビネット１５に固着する工程を行った後で、リヤキャビネット１５をフロントキャビネット１１に合わせたり、リヤキャビネット１５の外面に取付ねじ２００を用いて壁掛け金具２０を固着したりする工程を行う必要がある。
【０００８】
このため、図１４の壁掛け型表示装置と図１５の壁掛け型表示装置とにおいて、同一構造のリアキャビネット１５を共用してコストダウンを図るためには、図１５の補強フレーム４０をリヤキャビネット１５に固着するのに必要な作業工程や部品点数を削減することのできる対策を講じた上で、その対策を講じたことが図１４のシャーシブラケット３０を採用する上での障害にならないようにしておくことが要求される。
【０００９】
他方では、従来より、テレビジョンの分野において、ＰＤＰ（プラズマディスプレイパネル）に固着されているブラケット（上記シャーシブラケットに相当する）にスタンド（足部材）をねじ止めすることによって、リアキャビネットにＰＤＰの重量が加わることを回避するための構成が提案されている（たとえば、特許文献１参照）。
【００１０】
また、壁掛け型としても自立型としても使用することのてきる液晶テレビジョンの分野では、本体に、４箇所に壁掛け用のねじ孔を設けた液晶パネル支持板と、液晶パネル支持板の下側に配備された本体側ブラケットとを具備させておき、壁掛け型として用いるときには、液晶パネル表示板の上記ねじ孔を利用し、自立型として用いるときには、上記本体側ブラケットにスタンドを取り付けるようにすることが提案されている（たとえば、特許文献２参照）。
【００１１】
そのほか、液晶テレビジョンの分野では、スタンド部材を筐体（キャビネットに相当する）に容易にかつ強固に取り付けるための対策として、リアキャビネットの内面側に配備した板状の金属製保持部材とリアキャビネットの外面側に配備したスタンド部材のベース部材との間にリアキャビネットを挟み込んでそれらをねじ止めすることが提案されている（たとえば、特許文献３参照）。そして、ここで掲げた特許文献３には、板状の上記金属製保持部材のねじ孔をリアキャビネットのねじ孔の位置に合わせる手段として、リアキャビネットに設けたフック部に金属製保持部材のフック係合孔を係合させることが開示されている。
【特許文献１】特開２００５−３０８７９７号公報
【特許文献２】実用新案登録第３１１６０８７号公報
【特許文献３】特開２００６−１７３８４９号公報
【発明の開示】
【発明が解決しようとする課題】
【００１２】
しかしながら、特許文献１では、リアキャビネットに加わる重量を軽減するための対策が教示されるだけである。また、特許文献２では、液晶テレビジョンを壁掛け型と自立型とに選択して使用するための対策が教示しているだけである。さらに、特許文献３では、金属製保持部材の位置合わせを容易にするための構成や、リアキャビネットを金属製保持部材とスタンド部材のベース部材との間に挟み込んでねじ止めするための対策が教示されるだけである。
【００１３】
したがって、上掲の特許文献１〜３のいずれによっても、図１４に示したシャーシブラッケットと図１５に示した補強フレームとの両方に適用することが可能でありながら、補強フレームをリアキャビネットに取り付けるのに必要な対策を講じても、その対策がシャーシブラケットを採用する上での障害にならないようにするための特別な工夫については何も教示されていない。
【００１４】
本発明は以上の状況の下でなされたもので、図１４の壁掛け型表示装置と図１５の壁掛け型表示装置とにおいて、規格品である板状の壁掛け金具２０の複数箇所のねじ挿通孔を一致させることのできるねじ挿通孔を有するリアキャビネット１５を、長短２種類の縦長フレームに共用することができるようにしてコストダウンを図ることを基本とし、縦長フレームとしての図１５の補強フレーム４０をリヤキャビネット１５に固着するのに必要な作業工程や部品点数を削減することのできる対策を講じた上で、その対策を講じたことが縦長フレームとしての図１４のシャーシブラケット３０を採用する上での障害にならない壁掛け型表示装置を提供することを目的とする。
【課題を解決するための手段】
【００１５】
本発明に係る壁掛け型表示装置は、表示パネルの背部に配置されるリアキャビネットをその内面に重なり状に配備される縦長フレームとその外面側に配備される板状の壁掛け金具との間に挟み込んだ状態で、上記壁掛け金具と上記リアキャビネットとのそれぞれの複数箇所に開設されているねじ挿通孔に挿通させた取付ねじを上記縦長フレームのねじ孔にねじ込むことにより、上記壁掛け金具が上記リアキャビネットに固着されるようになっている。そして、上記縦長フレームには、上記リアキャビネットのほゞ全高に見合う長さを有して上記表示パネルに固着されたシャーシブラケットとそのシャーシブラケットよりも短い補強フレームとが含まれていて、それらのシャーシブラケット及び補強フレームのうちの一方が選択使用されるようになっている。
【００１６】
この構成を備えた壁掛け型表示装置によれば、縦長フレームとして、表示パネルに固着されたシャーシブラケットが用いられる場合であっても、シャーシブラケットよりも短い補強フレームが用いられる場合であっても、それらの縦長フレームと壁掛け金具との間にリアキャビネットを挟み込んだ状態で、複数本の取付ねじを用いて、壁掛け金具をリアキャビネットに固着することが可能である。
【００１７】
そして、この発明にあっては、特に、上記リアキャビネットに、その内面に重なり状に配備された上記補強フレームに開設されているビス挿入孔に挿入された固定ビスがねじ込まれる１つのねじ込み孔を有するボスと、その内面に重なり状に配備された上記補強フレームに係合することにより上記ねじ込み孔にねじ込まれた上記固定ビスと共働してその補強フレームをリアキャビネットの内面に固定するためのフックとが突設されていると共に、それらのボス及びフックは、上記リアキャビネットの内面に重ね合わされた上記シャーシブラケットに干渉しない位置に配備されている、という構成を有している。
【００１８】
このため、縦長フレームとして、シャーシブラケットよりも短い補強フレームを用いる場合には、その補強フレームのビス挿入孔に挿入した１本の固定ビスをリアキャビネット側のボスのねじ込み孔にねじ込むことと、その補強フレームにリアキャビネット側のフックを係合させることとを行うだけで、補強フレームをリアキャビネットの内面に固定することが可能である。したがって、シャーシブラケットをリアキャビネットの内面に固定するのに複数本の取付ねじを用いることが必要になるのに対し、補強フレームをリアキャビネットの内面に重なり状に固定するのに必要な固定ビスの必要数が１本だけになって、補強フレームをリアキャビネットに固定するのに必要な固定ビスの必要数を最小本数である１本に抑えることが可能になる。このことが、補強フレームをリヤキャビネットに固着するのに必要な作業工程や部品点数を削減することに役立つ。
【００１９】
それにもかかわらず、補強フレームをリアキャビネットに固着することに用いられる上記したボス及びフックは、リアキャビネットの内面に重ね合わされたシャーシブラケットに干渉しない位置に配備されていることにより、シャーシブラケットを用いる場合には、そのシャーシブラケットを無理なくリアキャビネットに固定することが可能になる。したがって、上記したボス及びフックは、シャーシブラケットをリアキャビネットに固定するときの障害にならない。
【００２０】
本発明では、上記フックが、上記補強フレームに設けられた横向き張出し片に係合する第１フック片と、上記補強フレームに開設された開口の口縁部に係合する第２フック片とに分かれていて、上記補強フレームを上記リアキャビネットの内面に重ね合わせて第１フック片に上記横向き張出し片を係合させることと第２フック片を上記開口に挿入することとを行った後にその補強フレームをスライドさせて第２フック片を上記開口の口縁部に係合させる操作を通じて、上記ボスのねじ込み孔に上記補強フレームのビス挿入孔が位置合わせされるように構成されていることが望ましい。これによれば、補強フレームを用いる場合に、第２フック片を補強フレームの開口の口縁部に係合させる操作を行うだけで、その補強フレームのビス挿入孔をリアキャビネット側のボスのねじ孔に容易にかつ確実に位置合わせすることができる。したがって、補強フレームをリアキャビネットに容易にかつ正確に、しかも迅速に固定することができるようになる。
【００２１】
本発明においては、上記シャーシブラケットが、上記リアキャビネットの内面に重ね合わされた当該シャーシブラケットの側部に上記第１フック片を位置させる幅狭部と、上記当該シャーシブラケットが上記リアキャビネットの内面に重ね合わされたときに上記第２フック片を遊嵌合させる開口部と、上記ボスを遊嵌合させる開口部と、でなる逃がし構造を有している。ここで、シャーシブラケットの側部に第１フック片を位置させる幅狭部は、シャーシブラケットをその全長部分で幅狭にすることによって形成することもできるし、シャーシブラケットの一部分だけを幅狭にすることによっても形成することができる。
【００２２】
本発明では、上記リアキャビネットの内面の幅方向の２箇所に、上記縦長フレームとしての補強フレーム及びシャーシブラケットが選択的に取り付けられるフレーム取付区画が形成されていることが望ましい。この構成であれば、板状の壁掛け金具に見合う幅の補強フレーム及びシャーシブラケットを用いる必要がないにもかかわらず、壁掛け金具が左右２箇所でねじ止めされるために壁掛け金具の取付安定性が向上する。
【発明の効果】
【００２３】
以上のように、本発明によれば、リアキャビネットの変形を防止する補強用の縦長フレームとして、表示パネルに固着された長尺のシャーシブラケットが用いられる場合であっても、シャーシブラケットよりも短い補強フレームが用いられる場合であっても、同一構造のリアキャビネットをそれらに共用してコストダウンを図ることが可能になるだけでなく、縦長フレームとして補強フレームを用いる場合には、その補強フレームをリヤキャビネットに固着するのに必要な作業工程や部品点数が削減されるという効果が奏される。
【００２４】
したがって、シャーシブラケットと補強フレームとを選択使用することのできる壁掛け型表示装置を安価に提供することが可能になる。
【発明を実施するための最良の形態】
【００２５】
図１は本発明の実施形態に係る壁掛け型表示装置のリアキャビネット１５を内面側から見て示した正面図、図２はシャーシブラケット３０が重なり合ったリアキャビネット１５に壁掛け金具２０が固着されている状態を示した正面図、図３は補強フレーム４０が重なり合ったリアキャビネット１５に壁掛け金具２０が固着されている状態を示した正面図であり、図４は図２の要部の拡大図、図５は図３の要部の拡大図である。また、図６はシャーシブラケット３０の概略斜視図、図７は補強フレーム４０の概略斜視図である。さらに、図８はシャーシブラケット３０が重なり合ったリアキャビネット１５に壁掛け金具２０を固着する工程を断面で示した説明図、図９は補強フレーム４０をリアキャビネット１５の内面に重ね合わせる初期段階を断面で示した説明図、図１０は補強フレーム４０をリアキャビネット１５の内面に重ね合わせる中間段階を断面で示した説明図、図１１はリアキャビネット１５の内面に重ね合わされた補強フレーム４０を利用して板状の壁掛け金具２０をリアキャビネット１５に固着する工程を断面で示した説明図である。さらに、図１２は第１フック片６１に補強フレーム４０の横向き張出し片４７を係合させる工程の斜視説明図、図１３は第１フック片６１に補強フレーム４０の横向き張出し片４７を係合させた状態の斜視説明図である。
【００２６】
図６に示されたシャーシブラケット３０と図７に示された補強フレーム４０とは、共に細長形状に形作られていて、図１に示したリアキャビネット１５の変形防止を目的としてリアキャビネット１５の内面に重なり状に配備される縦長フレームＦを形成している。そして、図１に示したリアキャビネット１５の内面の幅方向の略対象な位置関係にある２箇所に、シャーシブラケット３０又は補強フレーム４０によって構成される縦長フレームＦについてのフレーム取付区画Ｓ，Ｓが確保されていて、それらのフレーム取付区画Ｓ，Ｓのそれぞれには、上下に間隔を隔てて１つずつのねじ挿通孔１６，１７が開設されている。
【００２７】
図６のように、シャーシブラケット３０は、板金製であってコ字形の水平断面形状を有し、その上端部に上部ビス止め片３１を有し、その下端部に下部ビス止め片３２を有している。そして、図１４を参照して既述したように、シャーシブラケット３０は、リアキャビネット１５によって背部が覆われている表示パネル１００に固着されている。表示パネル１００に対するシャーシブラケット３０の固着には、シャーシブラケット３０の上部ビス止め片３１と下部ビス止め片３２とが利用されている。したがって、シャーシブラケット３０はそれ自体が表示パネル１００の骨格構造としての役割を果たしている。
【００２８】
このシャーシブラケット３０には、上下２箇所にねじ孔３３，３４が備わっていると共に、それら上下のねじ孔３３，３４の形成箇所の相互間位置には、矩形縦長の開口部３５と矩形の開口部３６とが開設されている。また、シャーシブラケット３０の上下のねじ孔３３，３４の相互間隔は、図１６を参照して既述した規格品である板状の壁掛け金具２０の上下のねじ挿通孔２１，２１の相互間隔と同じ間隔になっている。
【００２９】
上記したように、シャーシブラケット３０は表示パネル１００にあらかじめ固着されている。そのため、図１４を参照して説明したように表示パネル１００をフロントキャビネット１１に装着しておけば、そのフロントキャビネット１１にリヤキャビネット１５を合わせるだけで、リアキャビネット１５の内面の所定位置にシャーシブラケット３０が重なり合う。そのため、図８によって判るように、リアキャビネット１５の外面（背面）に重ね合わせた板状の壁掛け金具２０とリアキャビネット１５とにそれぞれ設けられている上下のねじ挿通孔２１，２１，１６，１７に挿通させた取付ねじ２００を、シャーシブラケット３０の上下のねじ孔３３，３４にねじ込んで締め付けるだけで、図２のように壁掛け金具２０がリヤキャビネット１５に固着される。
【００３０】
この構造、すなわち、リアキャビネット１５を、上下２箇所にねじ孔３３，３４を有するシャーシブラケット３０と、４隅にねじ挿通孔２１…を備えている規格品としての板状の壁掛け金具２０との間に挟み込んだ状態で、壁掛け金具２０をリアキャビネット１５に取付ねじ２００を用いて固着するという構造を採用するのに必要な取付ねじ２００の総本数は４本であり、そのうちの２本が左側のシャーシブラケット３０のねじ孔３３，３４にねじ込まれ、残りの２本が右側のシャーシブラケット３０のねじ孔３３，３４にねじ込まれる。
【００３１】
図２に示した構造で壁掛け金具２０がリヤキャビネット１５に固着されていると、リアキャビネット１５の内面に重ね合わされて取付ねじ２００がねじ込まれているシャーシブラケット３０が、リアキャビネット１５の変形防止に役立つ。また、このシャーシブラケット１５は図２のようにリアキャビネット１５のほゞ全高に見合う長さを有しているので、リアキャビネット１５はそのほゞ全高部分がシャーシブラケット１５により補強されるようになる。このことから、表示パネル１００（図１４参照）のサイズの大きな壁掛け型表示装置については、図２に示した構造で壁掛け金具２０が取り付けられていることが望ましいということが云える。
【００３２】
図７のように、補強フレーム４０は、板金製であってコ字形の水平断面形状を有している。この補強フレーム４０には、上下２箇所にねじ孔（図に現れていない）を有するボス４１，４２が備わっていると共に、それら上下のボス４１，４２の形成箇所の相互間位置には、矩形縦長の開口部４３と矩形の開口部４４とが開設されていて、下側の開口部４４は、その開口部４４を上下に跨ぐ両持ち構造の切起し片４５の抜き跡に相当している。また、切起し片４５にはビス挿入孔４６が開設されている。そして、補強フレーム４０の上下のボス４１，４２に１つずつ備わっている上記ねじ孔の相互間隔は、図１６を参照して既述した規格品である板状の壁掛け金具２０の上下のねじ挿通孔２１，２１の相互間隔と同じ間隔になっている。したがって、上下のボス４１，４２に１つずつ備わっている上記ねじ孔の相互間隔は、図６に示したシャーシブラケット３０の上下のねじ孔３３，３４の相互間隔とも同じ間隔になっている。さらに、補強フレーム４０の上端部の１箇所に横向き張出し片４７が備わっている。
【００３３】
図７に示した補強フレーム４０は、図１５を参照して既述したように、表示パネル１００に固着されているものではない。また、壁掛け金具２０は、図１５に示したフロントキャビネット１１に結合されたリアキャビネット１５に対して、そのリアキャビネット１５の背部からの取付作業を経て固着される。したがって、補強フレーム４０を利用してリアキャビネット１５の外面に壁掛け金具２０を固着するためには、壁掛け金具２０をビス止めするのに先立ってこの補強フレーム４０をリアキャビネット１５に固着しておく必要がある。
【００３４】
そこで、この実施形態では次に説明する対策を講じることによって、リアキャビネット１５に対する補強フレーム４０の固着を容易かつ正確に、しかも迅速に行うことができるようにしてある。
【００３５】
すなわち、図１に示したように、リアキャビネット１５の内面の左右２箇所のフレーム取付区画Ｓ，Ｓのそれぞれにおいて、固定ビス（図１において不図示）がねじ込まれる１つのねじ込み孔（図に現れていない）を有するボス５１と、フック６０とが突設されている。そして、図３又は図５によって類推することができるように、上記したボス５１とフック６０とのうち、ボス５１のねじ込み孔には、リアキャビネット１５の内面に重なり状に配備された補強フレーム４０の切起し片４５のビス挿入孔４６に挿入された固定ビス（図３に現れていない）がねじ込まれるように構成されている。また、フック６０は、第１フック片６１と第２フック片６２とに分かれていて、第１フック片６１が、リアキャビネット１５の内面に重なり状に配備された補強フレーム４０の横向き張出し片４７に係合し、第２フック片６２が、リアキャビネット１５の内面に重なり状に配備された補強フレーム４０の開口部４３の口縁部４３ａに係合するようになっている。なお、この実施形態では、第１フック片６１に対応して支え部６５を設けてあり、この支え部６５で補強フレーム４０をバックアップさせることにより、第１フック片６１に係合している横向き張出し片４７がその第１フック片６１から抜け出ることを防いでいる。そして、図３において左側に配置されている補強フレーム４０をバックアップする支え部６５には、リアキャビネット１５の内面に形成されている段差を活用しているのに対し、右側に配置されている補強フレーム４０をバックアップする支え部６５には、リアキャビネット１５の内面に突設したリブを活用している。
【００３６】
補強フレーム４０をリアキャビネット１５の内面に固着する作業はたとえば次の工程を経て行われる。すなわち、図９のようにリアキャビネット１５の内面側で、補強フレーム４０の開口部４３をリアキャビネット１５側の第２フック片６２に位置合わせし、かつ、補強フレーム４０の開口部４４をリアキャビネット１５側のボス５１に位置合わせする。その後に、図１２の矢印Ｃのように補強フレーム４０横向き張出し片４７をリアキャビネット１５側の第１フック片６１に差し込んでこの第１フック片６１と支え部６５（図３又は図５参照）との間に補強フレーム４０を配置することと共に、図１０の矢印Ａのように補強フレーム４０をリアキャビネット１５の内面に重ね合わせて、補強フレーム４０の開口部４３に第２フック片６２を嵌め、補強フレーム４０の開口部４４にボス５１を嵌めることとを行う。続いて、第１フック片６１に横向き張出し片４７を係合させたまま、図１１の矢印Ｂのようにリアキャビネット１５の内面上で補強フレーム４０をスライドさせることにより、第２フック片６２に補強フレーム４０の開口部４３の口縁部４３ａを係合させる。こうして第２フック片６２に補強フレーム４０の開口部４３の口縁部４３ａを係合させると、図１３のように第１フック片６１が横向き張出し片４７に係合した状態を保ったまま、図１１のように補強フレーム４０のボス４１，４２のねじ孔４８，４９がリアキャビネット１５のねじ挿通孔１６，１７に一致し、かつ、補強フレーム４０の切起し片４５のビス挿入孔４６がリアキャビネット１５側のボス５１のねじ込み孔５２に一致する。したがって、固定ビス５０をビス挿入孔４６に挿入してボス５１のねじ込み孔５２にねじ込んで締め付けると、補強フレーム４０がリアキャビネット１５の内面に固着される。
【００３７】
図９及び図１０を参照して説明した補強フレーム４０をリアキャビネット１５の内面に固着するための上記作業では、固着に必要になる固定ビス５０の本数が１本だけになる。これは、フック６０としての第１フック片６１が補強フレーム４０の横向き張出し片４７に係合してその補強フレーム４０をリアキャビネット１５の内面に押し付け、かつ、フック６０としての第２フック片６２が補強フレーム４０の口縁部４３ａに係合してそのその補強フレーム４０をリアキャビネット１５の内面に押し付けるようになっていることによる。したがって、この構造によれば、第１フック片６１や第２フック片６２が補強フレーム４０の横向き張出し片４７や口縁部４３ａに係合しているために、１本の固定ビス５０を用いるだけで、リアキャビネット１５の内面に補強フレーム４０を容易かつ正確に、しかも迅速に固着することが可能になる。
【００３８】
図１１及び図１３で説明した構造で補強フレーム４０がリアキャビネット１５の内面に固着されていると、そのリアキャビネット１５を図１５のようにフロントキャビネット１１に合わせて結合した後であっても、板状の壁掛け金具２０をリアキャビネット１５に固着することが可能になる。すなわち、図１１によって判るように、リアキャビネット１５の外面（背面）に重ね合わせた板状の壁掛け金具２０とリアキャビネット１５とにそれぞれ設けられている上下のねじ挿通孔２１，２１，１６，１７に挿通させた取付ねじ２００を、補強フレーム４０の上下のボス４１，４２のそれぞれのねじ孔４８，４９にねじ込んで締め付けるだけで、図３のように壁掛け金具２０がリヤキャビネット１５に浮き上がることなく固着される。
【００３９】
ところで、この実施形態では、縦長フレーム６０としての長尺のシャーシブラケット３０と、縦長フレーム６０としての短尺の補強フレーム４０とが選択的に使い分けられるリアキャビネット１５において、表示パネル１００に固着されていない補強フレーム４０をリアキャビネット１５に固着するときの作業性を改善したり固定ビス５０の必要本数を１本だけにするための対策として、リアキャビネット１５の内面にフック６０やボス５１を突設してある。また、リアキャビネット１５の内面には支え部６５も設けられている。そのため、これらのフック６０やボス５１、さらには支え部６５が、シャーシブラケット３０をリアキャビネット１５の内面に重ね合わせるときの障害にならないようにしておくことが要求される。
【００４０】
そこで、この実施形態では、上記のボス５１やフック６０、さらには支え部６５を、リアキャビネット１５の内面に重ね合わされたシャーシブラケット３０に干渉しない位置に配備してある。すなわち、図４に示したように、ボス５１が、リアキャビネット１５の内面に重ね合わされたシャーシブラケット３０の開口部３６に遊嵌合し、フック６０を形成している第２フック片６２が、リアキャビネット１５の内面に重ね合わされたシャーシブラケット３０の開口部３５に遊嵌合するように構成してある。また、シャーシブラケット３０の全長部分を上記補強フレーム４０よりも幅狭に形成しておくことによって、フック６０を形成している第１フック片６１や支え部６５が、リアキャビネット１５の内面に重ね合わされたシャーシブラケット３０の側部に位置するように構成してある。したがって、この実施形態では、第１フック片６１及び支え部６５をシャーシブラケット３０の側部に位置させるための幅狭部を、シャーシブラケット３０の全長部分に亘って形成してあると云える。なお、この幅狭部は、シャーシブラケット３０の一部分だけに形成することによって、第１フック片６１や支え部６５をシャーシブラケット３０の側部に位置させることも可能であることは勿論である。以上より、ボス５１及びフック６０、支え部６５をシャーシブラケット３０に干渉しない位置に配備するためにシャーシブラケット３０に講じられている逃がし構造が、シャーシブラケット３０の側部に第１フック片６１及び支え部６５を位置させる幅狭部と、第２フック片を遊嵌合させる開口部４３と、ボス５１を遊嵌合させる開口部４４とを有しているということが云える。
【図面の簡単な説明】
【００４１】
【図１】本発明の実施形態に係る壁掛け型表示装置のリアキャビネットの内面側正面図である。
【図２】シャーシブラケットが重なり合ったリアキャビネットに壁掛け金具が固着されている状態を示した正面図である。
【図３】補強フレームが重なり合ったリアキャビネットに壁掛け金具２０が固着されている状態を示した正面図である。
【図４】図２の要部の拡大図である。
【図５】図３の要部の拡大図である。
【図６】シャーシブラケットの概略斜視図である。
【図７】補強フレームの概略斜視図である。
【図８】シャーシブラケットが重なり合ったリアキャビネットに壁掛け金具を固着する工程を断面で示した説明図である。
【図９】補強フレームをリアキャビネットの内面に重ね合わせる初期段階を断面で示した説明図である。
【図１０】補強フレームをリアキャビネットの内面に重ね合わせる中間段階を断面で示した説明図である。
【図１１】補強フレームが重ね合わされたリアキャビネットに壁掛け金具を固着する工程を断面で示した説明図である。
【図１２】第１フック片に補強フレームの横向き張出し片を係合させる工程の斜視説明図である。
【図１３】第１フック片に補強フレームの横向き張出し片を係合させた状態の斜視説明図である。
【図１４】本発明の前提としての壁掛け型表示装置におけるリアキャビネットの補強構造を例示した縦断面図である。
【図１５】本発明の前提としての壁掛け型表示装置におけるリアキャビネットの他の補強構造を例示した縦断面図である。
【図１６】壁掛け金具の正面図である。
【符号の説明】
【００４２】
Ｆ  縦長フレーム
Ｓ  フレーム取付区画
１５  リアキャビネット
１６，１７，２１  ねじ挿通孔
２０  壁掛け金具
３０  シャーシブラケット（縦長フレーム）
３３，３４，４８，４９  ねじ孔
４０  補強フレーム（縦長フレーム）
４３  開口部
４３ａ  開口の口縁部
４４  開口部
４６  ビス挿入孔
４７  横向き張出し片
５０  固定ビス
５１  ボス
５２  ねじ込み孔
６０  フック
６１  第１フック片（フック）
６２  第２フック片（フック）
１００  表示パネル
２００  取付ねじ
【図１】
0004840396.tif 000002
【図２】
0004840396.tif 000003
【図３】
0004840396.tif 000004
【図４】
0004840396.tif 000005
【図５】
0004840396.tif 000006
【図６】
0004840396.tif 000007
【図７】
0004840396.tif 000008
【図８】
0004840396.tif 000009
【図９】
0004840396.tif 000010
【図１０】
0004840396.tif 000011
【図１１】
0004840396.tif 000012
【図１２】
0004840396.tif 000013
【図１３】
0004840396.tif 000014
【図１４】
0004840396.tif 000015
【図１５】
0004840396.tif 000016
【図１６】
0004840396.tif 000017